(57)【要約】【課題】  保温断熱工事の際に使用するバルブカバーやフランジカバーを制作の構造が簡単で断熱効果も高く、装着が困難な場所でも容易に装着が可能で、さらに安価で量産することができ、断熱材の粉塵を激減し環境に良いものにする。【解決手段】バルブやフランジのサイズに合わせた薄板金属板２の側面になる部分に、不燃布３を接着剤と折り曲げ部６で固定し、その上部に断熱材５を包み込み、バルブやフランジに巻きこみカンザシ８などで固定することを特徴とする。【選択図】    図１
2006342950.tif 000002
【特許請求の範囲】
【請求項１】
薄板の金属板の側面に不燃布を取り付け一体化させ、その金属板の部分の上部に断熱材を置き、側面に取り付けた不燃布で断熱材を包むスピードカバー。
【発明の詳細な説明】
【技術分野】
【０００１】  本発明は、保温断熱工事の際に使用するバルブカバーやフランジカバーに関する。
【背景技術】
【０００２】  従来、配管のバルブカバーやフランジカバーの外装材は金属製やプラスチック製で箱状や筒状に加工されている為、狭い場所等では装着が大変であった。そのように狭い場所や装着が容易に出来ない部分は不燃布等を巻きつけて外装が行われていたが、汚れやすい上に耐久性の面で問題があった。【０００３】  職人が制作するには現場での道具の設置や加工の手間がかかるので、市販のバルブカバーやフランジカバーを購入することも多いが、コストが高いうえにすでに加工されている為に急な材料の変更や間違いがあると使用できなくなった。【０００４】なお、本発明に関する公知技術として次の特許文献１特許文献２特許文献３特許文献４を挙げることができる。【０００５】
【特許文献１】  特開２００１−２００９８４
【０００６】
【特許文献２】  特開２０００−３５１９０
【０００７】
【特許文献３】  特開２０００−２８３３８６
【０００８】
【特許文献４】  特開平１１−５１２３０
【発明の開示】
【発明が解決しようとする課題】
【０００９】  上述の如く、従来技術に係るバルブカバーやフランジカバーは金属製で角のあるケース状や筒状の成型の為、狭い場所などでは分割しなければならず、取り付けが容易ではなく非常に手間がかかりコストが高くついた。【００１０】  バルブカバーやフランジカバーの入らないような狭い場所などでは外装材として不燃布などを取り付けていたが破れ易く、金属板のように丈夫ではないので耐久性に問題があった。【００１１】  配管のバルブやフランジのカバーを装着する際は、形状やサイズも多く制作も大変手間がかかっていた。【００１２】  本発明は、このような点に鑑みて成されたものであり、その目的は、配管におけるバルブカバーやフランジカバーを容易に成型して狭い場所でも効率よく装着でき耐久性をもたせたるようにすることにある。
【課題を解決するための手段】
【００１３】  上述の目的を達成する本発明のスピードカバーは、あらかじめ軽く湾曲させておいた薄板の金属板の側面になる部分に不燃布を固定し、金属板の上部に断熱材を置いて不燃布で包み固定する。【００１４】  断熱するバルブやフランジの種類の違いによる側面の幅は、断熱材の厚みで調整してスピードカバーを巻き付けてカンザシ等で取り付ける。
【発明の効果】
【００１５】  以上説明したように本発明によれば、あらかじめ軽く湾曲させておいた薄板の金属板の側面になる部分に不燃布を固定し、金属板の上部に断熱材を置き包み込むだけで簡単に成型でき、薄板の金属板と断熱材の厚みと同等以上の幅の隙間があれば簡単に取り付けることが出来る。今まで加工の困難であった狭い場所への取り付けが非常に容易な上に耐久性にも優れている。薄板金属板と不燃布を一体化して断熱材を中に包んでおくことにより粉塵も激減し、さらに繰り返して使用可能なので廃材として無駄に捨てることもなく環境面でも優れている。また薄板の金属板は布と違いあらかじめ湾曲させておいた板状なのでバルブやフランジを一周して取り付けることにより効率を上げることができる。
【発明を実施するための最良の形態】
【００１６】  以下、本発明の実施の形態を図面に基づき詳細に説明する。【００１７】  図１〜図２は本発明の実施形態に係わり、図１はそのバルブカバーの使用状態を示す斜視図、図２はそのフランジカバーの使用状態を示す斜視図、図３はその金属板の斜視図、図４は金属板に不燃布を取り付けた斜視図、図５は湾曲させた金属板の上部に断熱材を止着を示す斜視図、図６は金属板に固定した不燃布を断熱材を包んだ斜視図、図７は図６を丸めた状態の側面図、図８は折り曲げ部に不燃布を固定した拡大断面図、図９はハゼにカンザシを装着した拡大断面図である。【００１８】  カバーの基となる薄板の金属板２を、図３に示すように軽く湾曲させ、不燃布３を確実に固定する為の折り曲げ部７を緩く折り込み、丸めたときに留める為のハゼ６をつける。【００１９】  図８に示すように金属板２の折り曲げ部７の内側に接着剤などを塗り、不燃布３を緩い折り曲げ部７に差し込み、接着剤に固定させさらに折り曲げ部７をしっかりと折り込むことにより図８に示すように確実に固定する。【００２０】  図５に示すように不燃布３を接着した金属板２の上部に断熱材５を置く。【００２１】  金属板２の上部に置いた断熱材５を図６で示すように不燃布３で包みこむ。【００２２】  図７に示すように不燃材３を包み込んだ金属板２を、丸めながらバルブやフランジに包みこみ図９に示すようにハゼ６の部分にカンザシで留めて、図１、図２のように装着する。【００２３】  本発明を装着するときは、薄板の金属板なので図１や図２に示すようにバルブやフランジの形に合うように丸めることが出来、狭い場所においては断熱材５は綿状の弾力があるので不燃布３といっしよに抑えると簡単に凹み、狭い場所でも簡単に押し込み巻きつけて装着が出来る。
【産業上の利用可能性】
【００２４】  本発明は保温断熱工事等で使用するバルブカバーやフランジカバーを販売する産業分野で利用することができる。
【図面の簡単な説明】
【図１】  本発明のフランジカバーを取り付けた状態を示す外観斜視図である。
【図２】  本発明のバルブカバーを取り付けた状態を示す外観斜視図である。
【図３】  本発明の軽く湾曲させた金属板の斜視図である。
【図４】  本発明の金属板の折り曲げ部に不燃布を固定した斜視図である。
【図５】  本発明の金属板に断熱材の止着を示す斜視図である。
【図６】  本発明の金属板と不燃布で断熱材を包んだ状態を示す斜視図である。
【図７】  本発明のフランジカバーとバルブカバーの側面図である。
【図８】  本発明の折り曲げ部に不燃布を装着した状態を示す拡大断面図である。
【図９】  本発明のハゼをカンザシで取り付けた状態を示す拡大断面図である。
【符号の説明】
【００２５】  １  配管
２  金属板
３  不燃布
４  ハンドル
５  断熱材
６  ハゼ
７  折り曲げ部
８  カンザシ
【図１】
2006342950.tif 000003
【図２】
2006342950.tif 000004
【図３】
2006342950.tif 000005
【図４】
2006342950.tif 000006
【図５】
2006342950.tif 000007
【図６】
2006342950.tif 000008
【図７】
2006342950.tif 000009
【図８】
2006342950.tif 000010
【図９】
2006342950.tif 000011